(57)【要約】【課題】スクリュー式脱水機にスクリーン機能を持たせ、これにより直接汚水を流入させ、筒状ケーシングのスクリーン部にて夾雑物（ごみ）を捕捉し、そのまま脱水できるようにした汚水中の夾雑物除去・脱水装置を提供すること。【解決手段】筒状ケーシング２の内部に回転可能に配設したスクリュー７の先端側に抵抗体４を設け、筒状ケーシング２内に、その一端側上部から導入された夾雑物を加圧しながら脱水を行うようにした脱水装置において、筒状ケーシング２の周面に小孔及び／又はスリット２Ｓを設けることでスクリーン部Ｓを構成し、このスクリーン部Ｓに夾雑物を含んだ汚水を流入させて、汚水中の夾雑物を捕捉除去し、かつスクリュー７の回転によって捕捉した夾雑物を脱水、処理する。【選択図】  図１
2004267995.tif 000002
【特許請求の範囲】
【請求項１】
筒状ケーシングの内部に回転可能に配設したスクリューの先端側に抵抗体を設け、前記筒状ケーシング内に、その一端側上部から導入された夾雑物を加圧しながら脱水を行うようにした脱水装置において、筒状ケーシングの周面に小孔及び／又はスリットを設けることでスクリーン部を構成し、このスクリーン部に夾雑物を含んだ汚水を流入させて、汚水中の夾雑物を捕捉除去し、かつスクリューの回転によって捕捉した夾雑物を脱水、処理するようにしたことを特徴とする汚水中の夾雑物除去・脱水装置。
【請求項２】
スクリュー外周に、スクリーン内面の清掃を行うようにしたチップ構造体を設けたことを特徴とする請求項１記載の汚水中の夾雑物除去・脱水装置。
【請求項３】
スクリュー外周に、スクリーン内面の清掃を行うようにしたブラシ構造体を設けたことを特徴とする請求項１記載の汚水中の夾雑物除去・脱水装置。
【発明の詳細な説明】
【０００１】
【発明の属する技術分野】
本発明は、汚水中の夾雑物除去・脱水装置、特に、下水処理において、汚水中に含まれる夾雑物の除去と、その除去した夾雑物（ごみまたはし渣）の脱水とを一連にして行い、衛生的に処理できるようにした汚水中の夾雑物除去・脱水装置に関するものである。
【０００２】
【従来の技術】
従来、下水処理設備などの前処理工程において、汚水中の夾雑物を除去し、ごみとして捕捉されたものを衛生的に処理する手段として、例えば図４に示すように、スクリーン機構Ａ（夾雑物除去装置）と脱水機構Ｂ（し渣脱水装置）とをフロー中に備えるように構成するか、又はこれら２つの機構Ａ、Ｂを単純に組み合わせてユニット化したスクリーンユニット等を用いている。
【０００３】
【発明が解決しようとする課題】
ところで、上記従来の汚水中の夾雑物除去とその脱水は、スクリーン機構Ａと脱水機構Ｂとを単純に組み合わせてユニット化しているとはいえ、実際には捕捉と脱水との２つの機構を箱詰めにしているだけのものが多く、それぞれのフローが別々となって装置自身の構造が複雑となり、かつ機構が個別化されているため、動力もそれぞれ必要となり、その分スペースも大きくなり、さらに動力なども増加するため、トラブルの発生率が高くなるという問題があった。
さらに、ユニット化しているため、どちらか一方に不具合が生じれば全体が使用不可能となり、機器のメンテナンス性が悪いという問題もあった。
【０００４】
本発明は、上記従来の汚水中の夾雑物除去とその脱水装置の有する問題点に鑑み、従来のスクリュー式脱水機にスクリーン機能を持たせ、これにより直接汚水を流入させ、筒状ケーシングのスクリーン部にて夾雑物（ごみ）を捕捉し、そのまま脱水できるようにした汚水中の夾雑物除去・脱水装置を提供することを目的とする。
【０００５】
【課題を解決するための手段】
上記目的を達成するため、本発明の汚水中の夾雑物除去・脱水装置は、筒状ケーシングの内部に回転可能に配設したスクリューの先端側に抵抗体を設け、前記筒状ケーシング内に、その一端側上部から導入された夾雑物を加圧しながら脱水を行うようにした脱水装置において、筒状ケーシングの周面に小孔及び／又はスリットを設けることでスクリーン部を構成し、このスクリーン部に夾雑物を含んだ汚水を流入させて、汚水中の夾雑物を捕捉除去し、かつスクリューの回転によって捕捉した夾雑物を脱水、処理するようにしたことを特徴とする。
【０００６】
本発明の汚水中の夾雑物除去・脱水装置は、スクリュー式脱水機の筒状ケーシング部に多数の小孔及び／又はスリットを設けることで、スクリーン機能を持たせることができるので、筒状ケーシングの投入口に直接汚水を流入させるだけで、筒状ケーシングのスクリーン部で夾雑物（ごみ）を捕捉除去し、そのままスクリューを回転させることで脱水性能を落とすことなく、捕捉夾雑物は加圧脱水されるため、従来のように捕捉と脱水の機構を個別に配置する必要がなくなり、さらに動力も一つで済むようになるので、装置自体もコンパクトで、メンテナンスも簡易となる。
【０００７】
また、スクリュー外周に、スクリーン内面の清掃を行うようにしたチップ構造体を設けることができる。
【０００８】
これにより、スクリュー外周にチップ構造体を設けているので、筒状ケーシング内でスクリューを回転させるだけで、スクリーン部内面の清掃を同時に行うことができ、スクリーンの目詰まりを生じさせることなく、連続的に汚水中の夾雑物除去、脱水処理が行うことができる。
【０００９】
また、この場合、スクリュー外周に、スクリーン内面の清掃を行うようにしたブラシ構造体を設けることができる。
【００１０】
これにより、スクリュー外周にブラシ構造体を設けているので、筒状ケーシング内でスクリューを回転させるだけで、この簡単なブラシ構造体にてスクリーン部内面の清掃を同時に行うことができ、スクリーンの目詰まりを生じさせることなく、連続的に汚水中の夾雑物除去、脱水処理が行うことができる。
【００１１】
【発明の実施の形態】
以下、本発明の汚水中の夾雑物除去・脱水装置の実施の形態を図面に基づいて説明する。
【００１２】
図１は、本発明の汚水中の夾雑物除去・脱水装置の全形を示す一部破断した正面図で、該図において１は、スクリュー式脱水機で、これは筒状ケーシング２の内部にスクリュー７を配設し、筒状ケーシング２の一端部、例えば基端側上部に形成した汚水の投入口３より夾雑物を含む汚水を該筒状ケーシング２内に流入するようにするとともに、スクリュー及びその先端側に背圧抵抗体４を設け、これによりスクリュー７を、筒状ケーシング基端側外部に配設したモータ、減速機等からなる駆動体８よりスクリュー軸６を介して回転駆動することにより、筒状ケーシング２内で、特に、スクリーン部で捕捉された夾雑物を加圧しながら脱水できるようにする。
【００１３】
また、スクリュー式脱水機１の円筒筒状ケーシング部２の周面に、多数の小孔及び／又はスリット２Ｓを設けてスクリーン部Ｓを形成する。この小孔及び／又はスリット２Ｓの形状に関しては、夾雑物（ごみ）の捕捉目的や通水能力に応じて自由に設定できるものとし、特に、限定されるものではないが、例えば円筒筒状ケーシング部２において投入口３の下部位置では多量の汚水が濾過されて流水されるようスリットの数を多くしたり、スリット幅を大とし、この投入口３の下部位置を過ぎた位置の脱離水排水部では、夾雑物の加圧脱水時に漏出する脱離汚水のみを通水するだけで良いため、流出汚水量も少なくなるので、スリットの数及びその幅を、投入口３の下部位置のスクリーン部よりも少なく、かつスリット幅を小とすることができる。
【００１４】
次に、本発明の作用につい説明する。
筒状ケーシング２の上部に開口するようにして設けた投入口３から投入又は流入されると、夾雑物を含んだ汚水は、筒状ケーシング２に小孔又はスリットを形成したスクリーン部Ｓよりそのまま下部に流れ落ち、夾雑物だけがスクリーン内部に残される。
【００１５】
この筒状ケーシング部の内部ではスクリュー７がごみ搬送のため駆動体８にて回転駆動されているので、このスクリュー７の回転作用によって筒状ケーシング２内を終端側に向かって移送され、またスクリュー及びその先端側に設けた背圧抵抗体４により、加圧されることから脱水が行われる。
このとき、筒状ケーシング部の内表面は、夾雑物が接触しつつ搬送されることから、スリット表面を清掃するものとなり、ごみによる目詰まりを防止し、通水能力を確保することができる。
【００１６】
このようにスクリュー７の回転作用によって、筒状ケーシング部にて捕捉、除去された夾雑物は筒状ケーシング部内部を加圧されながら移送されることにより、加圧脱水される。そして、筒状ケーシング部の終端部に達すると開口した排出口より脱水された夾雑物は外部へ排出される。
【００１７】
ここで、筒状ケーシング部内部の清掃能力を向上させるために、耐磨耗性のある樹脂製のチップ構造体又はブラシ構造体５を、スクリュー７の外周部に設置することができる。
なお、本発明の装置は汚水流入管及び流出管を備えた筒状ケーシングで、本装置全体を取り囲むことが望ましく、スクリーン機構部にバイパス管路等が存在する箇所では、オーバフロー管も設置し、万が一の時にも汚水が溢れ出ることなく、全体フローに影響を与えないようにすることも可能である。
【００１８】
汚水中の夾雑物除去及びその脱水処理にあたり、従来のスクリュー式脱水機の筒状ケーシング部に、スクリーン機能を追加させ、一度に夾雑物の除去と、夾雑物（し渣）の脱水を行うことができ、従来から問題であったスクリーン機構と脱水機構の個別化による装置複雑化、動力増加の問題が解決でき、さらに省スペース化、低コスト化にも貢献できる。また、これに関連して故障のポテンシャルが激減し、シンプルかつ長寿命の装置化が期待できる。
【００１９】
【発明の効果】
本発明の汚水中の夾雑物除去・脱水装置によれば、スクリュー式脱水機の筒状ケーシング部に多数の小孔及び／又はスリットを設けることで、スクリーン機能を持たせることができるので、筒状ケーシングの投入口に直接汚水を流入させるだけで、筒状ケーシングのスクリーン部で夾雑物（ごみ）を捕捉除去し、そのままスクリューを回転させることで脱水性能を落とすことなく、捕捉夾雑物は加圧脱水されるため、従来のように捕捉と脱水の機構を個別に配置する必要がなくなり、さらに動力も一つで済むようになるので、装置自体もコンパクトで、メンテナンスも簡易となる。
【００２０】
また、スクリュー外周にチップ構造体を設けているので、筒状ケーシング内でスクリューを回転させるだけで、スクリーン部内面の清掃を同時に行うことができ、スクリーンの目詰まりを生じさせることなく、連続的に汚水中の夾雑物除去、脱水処理が行うことができる。
【００２１】
また、スクリュー外周にブラシ構造体を設けているので、筒状ケーシング内でスクリューを回転させるだけで、この簡単なブラシ構造体にてスクリーン部内面の清掃を同時に行うことができ、スクリーンの目詰まりを生じさせることなく、連続的に汚水中の夾雑物除去、脱水処理が行うことができる。
【図面の簡単な説明】
【図１】本発明の汚水中の夾雑物除去・脱水装置の実施例を示す構造の概略図である。
【図２】本発明のスクリュー部断面図である。
【図３】本発明を適用した実施例の前処理フロー図である。
【図４】従来の汚水処理における前処理フロー図である。
【符号の説明】
１    スクリュー式脱水機
２    筒状ケーシング（円筒筒状ケーシング）
２Ｓ  小孔及び／又はスリット
３    汚水流入口
４    抵抗体
５    樹脂製のチップ構造体又はブラシ構造体
６    スクリューの駆動軸
７    スクリュー
８    駆動体
Ｓ    スクリーン部
【図１】
2004267995.tif 000003
【図２】
2004267995.tif 000004
【図３】
2004267995.tif 000005
【図４】
2004267995.tif 000006